(57)【特許請求の範囲】
【請求項１】
前面版と、梁部を介して前記前面版に対して傾斜して設けた控版とにより上方にコンクリート打設口を有するコンクリート打設間隙を形成すると共に、控版の背部に設けた背面梁部と前記控版とにより上方を開口した胴込部を形成してなる擁壁ブロック。
【請求項２】
下部前面版と、上部前面版の下部へ屈曲状態で形成され、梁部を介して前記前面版に対して傾斜して設けた控版とにより、上方にコンクリート打設口を有するコンクリート打設間隙を形成すると共に、上部前面版又は控版の背部に設けた背面梁部と前記控版とにより上方を開口した胴込部を形成してなる擁壁ブロック。
【請求項３】
上部前面版が擁壁勾配に略平行であり、控版が上部前面版と逆勾配でくの字状屈曲状態で形成されており、下部前版が略垂直状態に形成されてなる請求項２記載の擁壁ブロック。
【請求項４】
上部前面版の上部に上段の擁壁ブロックとの重合突縁を形成してなる請求項２又は３記載の擁壁ブロック。
【請求項５】
擁壁ブロックの上部又は底部に上段の擁壁ブロックと下段の擁壁ブロック間の係合手段を設けた請求項２又は３記載の擁壁ブロック。
【請求項６】
係合手段が上段の擁壁ブロックに下段の擁壁ブロックを吊る鈎状フック金具である請求項５記載の擁壁ブロック。
【請求項７】
背面梁部の上方へコンクリートの横方向流出防止版を形成すると共に、下部前面版の下方に嵌合い溝を設けた請求項２又は３記載の擁壁ブロック。
【請求項８】
上部前面版の上部又は下部前面版の下部に型枠板挿入用切欠を設けた請求項２又は３記載の擁壁ブロック。
【請求項９】
請求項１〜請求項８いずれか記載の擁壁ブロックを用い、法面上部の横方向に上段の擁壁ブロックを配置連結し、その下方一部の地山を掘削して掘削法面部分に形成し、前記掘削法面部分に下段の擁壁ブロックを配置し、上段の擁壁ブロックのコンクリート打設間隙と下段の擁壁ブロックの胴込部とに打設するコンクリートによって一体化する擁壁構築方法。
【請求項１０】
請求項１〜請求項８いずれか記載の擁壁ブロックを用い、法面上部の横方向に連結した上段の擁壁ブロック群間の下方一部の地山を掘削して掘削法面部分と未掘削地山部分とし、前記掘削法面部分に下段の擁壁ブロック群を配置して、前記上段の擁壁ブロック群のコンクリート打設間隙と前記下段の擁壁ブロック群の胴込部とに打設するコンクリートによって、下段の擁壁ブロック群と上段の擁壁ブロック群の一部とを上下に一体化させ、次に下段の擁壁ブロック群の横方向で上段の擁壁ブロック群の下方に残る未掘削地山部分を掘削して形成した掘削法面部分へ他の下段の擁壁ブロック群を配置し、上下及び左右を一体化する一連の工程を上下方向と左右方向に複数回繰り返しながら擁壁を上方から下方へと構築する擁壁構築方法。
【発明の詳細な説明】
【０００１】
【発明の属する技術分野】
本発明は、通常の積み方式とは逆に上方から下方へ配置して法面に擁壁を構築するに適した擁壁ブロックと、前記擁壁ブロックを用いた擁壁構築方法とに関する。
【０００２】
【従来の技術】
法面に擁壁を構築する場合、従来は土台の上に擁壁ブロックを積む施工方法が一般的であった。しかし、下から順に上へ擁壁ブロックを積む通常の擁壁施工法の場合、地山を大幅に掘削する必要があり、過堀りの問題があることと、施工中に足場が必要であるという難点を有している。また、施工中に土砂の崩壊事故を生起するといった危険を伴う。
【０００３】
この欠点を補うために、法面の上方から下方へコンクリート板を用いて擁壁を構築する方法として、図21に示す工法がある。この工法は、切り土法面21の補強にコンクリート板22を配置する場合に、上段のコンクリート板を地山に向けて打ち込んだ補強材（鋼棒、長尺ボルト等）23により固定した後、その下方を掘削し（ａ）、掘削された部分に下段のコンクリート板を配置し（ｂ）、下段のコンクリート板を地山へ向けて打ち込んだ補強材23により固定する一連の工程によって、上方から下方へ擁壁を構築していく方法である（例えば特開平07-34464号）。この施工法は余分な切り土や埋め戻しを必要としないので、土工量が低減でき、また、大幅に掘削土量が削減できるので地山を傷めず、森林維持と自然環境の保護が可能となる等の特徴がある。
【０００４】
しかし、従来のこの施工方法は上段のプレキャスト板を配置した後に、下段の掘削に先だって上段のプレキャスト板を地山の有効部へ長尺の補強材23で固定する必要がある。図21（ａ）〜（f）によっても明らかであるが、この作業は大変であるし、危険を伴う。そのうえ、図21（ｅ）にみられるように、補強材23の頭部をトルクレンチ等により定着し、その後に補強材23の頭部を隠すキャップを装着して仕上げる煩雑な作業が必要となる。そのため、全体の工費も一般工法に比べ割高となり、工法普及の妨げにもなっている。
【０００５】
【発明が解決しようとする課題】
そこで、擁壁ブロックを用いて擁壁を構築する際に、掘削土量を削減して地山の保護が可能であり、足場の構築の必要性もなく、かつ高能率、安価に施工できる擁壁構築方法を検討した。更に、構築された擁壁の耐久性についても検討し、この施工法に適した擁壁ブロックを提供することとしたのである。
【０００６】
【課題を解決するための手段】
上記課題について、本発明は、前面版と、梁部を介して前記前面版に対して傾斜して設けた控版とにより上方にコンクリート打設口を有するコンクリート打設間隙を形成すると共に、控版の背部に設けた背面梁部と前記控版とにより上方を開口した胴込部を形成してなる擁壁ブロックを開発した。より好しくは、下部前面版と、上部前面版の下部へ屈曲状態で形成され、梁部を介して前記前面版に対して傾斜して設けた控版とにより、上方にコンクリート打設口を有するコンクリート打設間隙を形成すると共に、上部前面版又は控版の背部に設けた背面梁部と前記控版とにより上方を開口した胴込部を形成してなる擁壁ブロックである。上部前面版は擁壁勾配に略平行とし、控版は上部前面版と逆勾配でくの字状屈曲状態で形成し、下部前版が略垂直状態に形成してなる構造が好適である。この擁壁ブロックには吊り作業を容易にするために、吊り環を設けたり、吊り環を螺着するためのねじ穴を擁壁ブロックの上部に設ける等の吊り手段を設けると好ましい。上部前面版の上部に重合突縁を形成すると、上段の擁壁ブロックとの隙間を覆うことができる。
【０００７】
また、コンクリート打設間隙に設けられた前後方向の梁部に対して水抜き孔を設けると、擁壁背面の水を排水して擁壁にかかる背面圧を減少させ得る。前面版と下方が広くなるよう傾斜させて設けた控版間が、強度的に問題を生じる場合には、前面版の上部又は底部から控版に向けて補強版（底版）をコンクリート打設が可能な程度の通過穴を形成した状態で設けることもできる。
【０００８】
上段の擁壁ブロックと下段の擁壁ブロックとは、上記コンクリート打設間隙と胴込部とに打設一体化されたコンクリートによって高強度に維持される。通常使用されるコンクリート以外に、軽量コンクリート、合成樹脂、合成樹脂発泡体等の擁壁全体の一体固化を図ることができる材料を用いることも可能である。これらはコンクリート打設口からの打設量を加減することにより控版と下部前面版間の上方一部に植栽土の充填室を形成して緑化を可能にすることもできる。その際に根腐れを防止するために、植栽土の充填室下方に保水剤や排水可能な多孔質コンクリート等の使用、又は下部前面版に排水孔を設けるとよい。
【０００９】
本発明は他の一態様として、擁壁ブロックの上部又は底部に上段の擁壁ブロックと下段の擁壁ブロック間の係合手段を設けることも考えられる。係合手段としては、上段の擁壁ブロックに下段の擁壁ブロックを吊る鈎状フック金具等がある。鈎状フック金具の場合、上段の擁壁ブロックに対して下段の擁壁ブロックを垂直方向へ回動させながら、かつ水平方向へ調整して配置することもできる。また、下段の擁壁ブロックの下方の地山を更に掘削する作業における安全性を確保することができる。
【００１０】
また、上部前面版又は控版の背部に設けた背面梁部の上方にはコンクリートの横方向への流出防止版を形成すると共に、その流出防止版の下段のものが擁壁ブロックを積んだ時に下部前面版下方に嵌まる嵌合い溝を設けるとよい。更に、上部前面版又は下部前面版の上部又は下部に型枠板挿入用切欠を設けて、挿入した型枠板によりコンクリートの横方向への流出防止を可能にしてもよい。更に、擁壁ブロックの縦方向に配筋を設けたり、施工時に擁壁ブロックの縦方向に配筋を施すことも、擁壁強度を高めるのに好ましいので、必要に応じて実施することができる。
【００１１】
更に、本発明は、上記いずれかの擁壁ブロックを用い、法面上部の横方向に上段の擁壁ブロックを配置連結し、その下方一部の地山を掘削して掘削法面部分に形成し、前記掘削法面部分に下段の擁壁ブロックを配置し、上段の擁壁ブロックのコンクリート打設間隙と下段の擁壁ブロックの胴込部とに打設するコンクリートによって一体化する擁壁構築方法を開発した。詳しくは、コンクリート打設間隙と胴込部とを形成した擁壁ブロックを用い、法面上部の横方向に連結した上段の擁壁ブロック群間の下方一部の地山を掘削して掘削法面部分と未掘削地山部分とし、前記掘削法面部分に下段のブロック群を配置して、前記上段の擁壁ブロック群のコンクリート打設間隙と前記下段の擁壁ブロック群の胴込部とに打設するコンクリートによって、下段の擁壁ブロック群と上段の擁壁ブロック群の一部とを上下に一体化させ、次に下段の擁壁ブロック群の横方向で上段の擁壁ブロック群の下方に残る未掘削地山部分を掘削して形成した掘削法面部分へ他の下段の擁壁ブロック群を配置し、上下及び左右を一体化する一連の工程を上下方向と左右方向に複数回繰り返しながら擁壁を上方から下方へと構築する擁壁構築方法である。
【００１２】
この擁壁構築方法において、最上段の擁壁ブロックは天端コンクリートで仕上げされた後、又は同時に一体施工するのが好ましい。未掘削地山部分による支持力を利用して天端構造物を構築することができる。また、最下段の擁壁ブロックの下方には擁壁全体を安定に支持するための土台を現場打ちにより形成するとか、基礎ブロックを使用することができる。
【００１３】
この擁壁構築方法によると、上段の擁壁ブロック下方の一部の未掘削地山部分を掘削して掘削法面部分を形成する際に、掘削法面部分上の宙吊り上段の擁壁ブロックが地山で支持された擁壁ブロック群により形成された横梁により支持されることとなる。そのためには、擁壁ブロック間のコンクリートによる一体化も好ましいが、法面の横方向に連結する擁壁ブロック間に配筋を施すとより効果的である。擁壁ブロック間に連なる配筋を有するように個々の擁壁ブロックへ配筋を施したものも好適である。
【００１４】
更に地山と擁壁ブロックの背部との間には必要に応じて排水材とか、隙間処理材を用いるとよい。排水材は擁壁背面の水を排水して背面圧を減少させる機能を有するものであればよく、例えば、多孔質（ポーラス）コンクリート等の多孔質無機粒子や、不織布、織布、金網等の水が浸透する素材の中から選択して使用することができる。隙間処理材は擁壁ブロックを設計された勾配に合致させる際に掘削後の法面との間に生じる隙間を埋めるためのもので、強度と耐久性を備えたものであれば、無機粒体（例えば砂利、砕石等）、有機粒体を問わず使用することができる。
【００１５】
擁壁ブロックの地盤支持を均等にするためや破損防止、配置や位置決めを容易にするため、更には、安定性、安全等を期すために、掘削法面部分に配置する擁壁ブロックの底面へ緩衝材、滑材、滑り防止材又は楔材を用いるとよい。緩衝材としては、無機又は有機繊維不織布、織布、金網やその他多孔質部材を使用することができる。滑材は上段の擁壁ブロックの下方へ下段の擁壁ブロックを配置する際に滑り抵抗を減少させて移動を容易にすることができ、金属板、プラスチック板、平行な複数の棒体、コロ等を適宜使用する。配置や位置決めの正確さを期すために楔材の使用もよい。更に、配置した擁壁ブロックの移動を防止したり、擁壁完成までの安全を確保するために擁壁ブロックの底面と地山との間、又は完成された擁壁の安定性を確保するために擁壁ブロックの背面と地山との間に滑り防止材を使用するのも好適である。
【００１６】
【発明の実施の形態】
図１〜図６に本発明の擁壁構築方法の施工の様子を示している。図７は完成された擁壁例の正面図である。図１〜図５において（ａ）は施工断面図であり、（ｂ）は正面図である。この施工は、まず、１）図１にみられるように天端部分となる地山を掘削する。２）次に、図２に示すように、法面の横方向に最上段（天端）の上段の擁壁ブロック1aが地山２へ支持されるように順次配置する。３）次いで、図３に示すように、上段の擁壁ブロック1aの背面部３にコンクリートを充填して天端コンクリート４を形成する。施工場所によっては、天端コンクリート４が上段の擁壁ブロック1aの上部に予め一体化された構造であってもよい。また、上段の擁壁ブロック1aの側面に継手を設けてもよい。
【００１７】
４）次に、天端コンクリート４を形成した後に、図４に示すように上段の擁壁ブロック1aの下部地山２を掘削法面部分2aと未掘削地山部分2ｂが交互になるように掘削する。コンクリートで一体化された上段の擁壁ブロック群が未掘削地山部分に支持されて横梁をなすので下部地山を掘削しても落下しない。５）次いで、図５に示すように掘削法面部分2aへ下段の擁壁ブロック1bが地山へ支持されるように配置する。６）更に、図６に示すように、上段の擁壁ブロック1a前方の開口部であるコンクリート打設口５よりコンクリートを充填することで、下段の擁壁ブロック1bと一体化する。各擁壁ブロックの背面と掘削法面６間には必要時に隙間処理材や排水材を使用する。
【００１８】
これで、前記４）〜６）を下方向と横方向に複数回繰り返しながら擁壁を上方から下方へと構築すると、いわゆる逆巻きブロック工法で、図７に一例を示すように擁壁を構築することができる。最下段の擁壁ブロック1nの前方のコンクリート打設口５よりコンクリートを充填して擁壁全体を安定に支持するための土台24を形成している。台形断面の基礎ブロックの使用も可能である。この例では、いも目地となるように下段の擁壁ブロックが配置されているが、食い違いの目地（破り目地）を有するように下段の擁壁ブロックを配置することもできる。また、目地の形状も谷切り、２面切り、亀甲切り等任意なものにすることができる。
【００１９】
この擁壁構築方法に用いる擁壁ブロックの実施例を図８、図９に示す。この擁壁ブロック１は、擁壁勾配に略平行に形成されている上部前面版７の下部へ控版８を形成し、上方を開口した胴込部10を形成している。また、上部前面版７の下部で控版８の前面へ下部前面版９によりコンクリート打設間隙11を形成している。更に、控版８と下部前面版９間の上方を開口してコンクリート打設口５とした構造である。控版８と下部前面版９間のコンクリート打設間隙11の中間に前後方向に梁部12を形成して躯体をなしており、かつ、梁部12の両側に打設されるコンクリートが左右に隣り合う擁壁ブロック及び下段の擁壁ブロックとの一体化を可能にして擁壁の剛性を高める。胴込部10の中間にも前後方向に背面梁部13を形成して補強している。この例では背面梁部13に横方向の貫通孔14を形成しており、法面の横方向に連結する擁壁ブロック間に配筋を施すとか、吊り作業に使用する。吊り作業を容易にするためには、吊り環を設けたり、吊り環を螺着するためのねじ穴等の適当な吊り手段を適当な位置に設けてもよい。
【００２０】
上部前面版７の上部には前方への重合突縁15を形成しており、上段の擁壁ブロックとの隙間を覆うようにしている。また、梁部の前後方向に対して水抜き孔16を設けることによって、図10に施工後の要部断面を示すように、擁壁背面の水を排水して擁壁にかかる背面圧を減少させるようにしている。なお、図11は正面図であり、図12は平面図である。背面梁部13が掘削法面と接する部分には排水材17を使用し、隙間がある部分には隙間処理材18を用いた。排水材17は擁壁背面の水を排水して背面圧を減少させる機能を有するもので、この例では多孔質（ポーラス）コンクリートを使用した。例えば、不織布、織布等の中から選択使用することができる。隙間処理材18は擁壁ブロックを設計された勾配に合致させる際に掘削後の法面との間に生じる隙間を埋めるもので、強度と耐久性を備えた鉱物を熱処理して得られた無機連続気泡体を使用した。
【００２１】
掘削法面部分で上段の擁壁ブロック1aの下へ下段の擁壁ブロック1bを配置する方法は、図13にみられるように、下段の擁壁ブロック1bを水平方向に移動させて所定の位置へ吊りながら適所に配置するのも一つの方法である。下段の擁壁ブロック1bを水平方向に移動させるとき、滑り抵抗を減少させて移動を容易にするために、金属板の移動抵抗減少材を一時使用している。配置や位置決めの正確を期すために楔材の使用等の使用も適宜行う。更に、配置した擁壁ブロックの移動を防止したり、擁壁完成までの安全を確保するために擁壁ブロックの底面と地山との間、又は完成された擁壁の安定性を確保するために擁壁ブロックの背面と地山との間に滑り防止材を使用するのも好適である。
【００２２】
図14〜図17は背面梁部13の上方から横方向へコンクリートが流出するのを防止する手段を設けた本発明の実施例である。図14〜図16は背面梁部13の上方へ横方向流出防止版25を形成すると共に、下部前面版９の下方に嵌合い溝26を設けている。下段の擁壁ブロックの横方向流出防止版25が擁壁ブロックを積んだ時に上段の擁壁ブロックの嵌合い溝26に嵌まるようにして密な構造としている。また、図17のように、上部前面版７と下部前面版９のそれぞれに型枠板挿入用切欠27、28を設けて、挿入した型枠板によりコンクリートの横方向への流出防止を可能にしてもよい。型枠板挿入用切欠は上部前面版７又は下部前面版９のいずれか一方に設けるだけでもよい。
【００２３】
これまで例示した擁壁ブロックの構造を簡略化して、本発明の擁壁構築方法に用いることもできる擁壁ブロックの他の構造例を図18に示す。この擁壁ブロックは、前面版29と前記前面版へ梁部12を介して下方が広くなるよう傾斜させて設けた控版８とにより、上方にコンクリート打設口５のある下方が広いコンクリート打設間隙11を形成すると同時に控版の背部に下方を狭くした胴込部10を形成した構造である。控版の背部に背面梁部13を形成している。
【００２４】
本発明の擁壁構築方法の他の態様として、図19にみられるような、下段の擁壁ブロックを回動させながら配置することも考えられる。そのために、上段の擁壁ブロック1aと下段の擁壁ブロック1bとの間に係合手段19を設けている。係合手段19として、上段の擁壁ブロック1aの底部前方に下段の擁壁ブロック1bを吊ることができる鈎状フック金具19aを垂直方向へ回動可能に軸支して設け、下段の擁壁ブロック1bの上部前方へ前記フック金具19aを掛止可能に受け環19ｂを設けている。この場合、係合手段19の鈎状フック金具19aと受け環19ｂを係合させた後、上段の擁壁ブロック1aに対して下段の擁壁ブロック1bを垂直方向へ回動させながら、かつ水平方向へ調整して配置することができる。下段の擁壁ブロックの下方の地山を更に掘削する作業の間の安全を確保する特徴もある。
【００２５】
図20は本発明の擁壁構築方法によって構築する擁壁を植生可能な多自然型とした例であって、前記のように上方から下方へと配置される上段の擁壁ブロック1aと下段の擁壁ブロック1bとをコンクリート打設間隙11と胴込部10とにコンクリート打設によって一体化するに際し、コンクリート打設口５からの打設量を加減することにより控版８と下部前面版９間の上方一部に空間を残して、植栽土等の充填室20を形成し緑化を可能にしている。植物の根腐れを防止するために、植栽土の充填室20底部下方にポーラスコンクリートを使用すると共に下部前面版９に水抜き孔を設けている。
【００２６】
【発明の効果】
本発明の擁壁ブロックは、この擁壁構築方法における擁壁の上方から下方へと配置される上段の擁壁ブロックと下段の擁壁ブロックとをコンクリート打設によって一体化するのに適しており、また、コンクリート打設で一体化された上段の擁壁ブロック群が未掘削地山部分に支持されて横梁をなすので下部地山を掘削しても落下しない。更に、掘削法面部分へ下段の擁壁ブロックを配置した後に、後の工程で更に下段の擁壁ブロックの下方を掘削しても落ちない一体化構造が可能である。加えて、上部前面版も下部前面版も自然石や擬石模様を付すことができるので、前面のコンクリート打設口からの打設構造でありながら、自然石や擬石模様の擁壁とすることができる。
【００２７】
また、本発明の擁壁ブロックを用いた擁壁構築方法によって、擁壁の下方向と横方向に擁壁ブロックを複数回繰り返しながら配置して、擁壁を上方から下方へと構築する、いわゆる逆巻きブロック工法を実施可能にした。従来の擁壁構築方法に比べて掘削土量を削減し、地山の保護が可能であり、足場の構築の必要性もない。高能率、安価に施工できる擁壁構築方法となっている。更に、施工中の安全が確保され、しかも、構築された擁壁の耐久性も良好となっている。
【図面の簡単な説明】
【図１】本発明の擁壁構築方法における部分掘削の様子を示す、（ａ）は施工断面図であり、（ｂ）は正面図である。
【図２】上部より一段目の擁壁ブロックを配置した様子を示す、（ａ）は施工断面図であり、（ｂ）は正面図である。
【図３】天端コンクリートを形成した様子を示す、（ａ）は施工断面図であり、（ｂ）は正面図である。
【図４】擁壁ブロックの下部地山を掘削法面部分と未掘削地山部分が交互になるように掘削した様子を示す、（ａ）は施工断面図であり、（ｂ）は正面図である。
【図５】掘削法面部分へ下段の擁壁ブロックを配置した様子を示す、（ａ）は施工断面図であり、（ｂ）は正面図である。
【図６】上段の擁壁ブロック前方のコンクリート打設口よりコンクリートを充填することで、下段の擁壁ブロックと一体化した様子を示す施工断面図である。
【図７】本発明の擁壁構築方法の施工の結果完成された擁壁例の正面図である。
【図８】本発明の擁壁構築方法に用いる擁壁ブロック例の正面斜視図である。
【図９】同擁壁ブロックの背面斜視図である。
【図10】同擁壁ブロックを用いて施工後の要部断面図である。
【図11】同要部正面図である。
【図12】同要部平面図である。
【図13】下段の擁壁ブロックを水平に移動させて配置する様子を示す施工断面図である。
【図14】背面梁部の上方へ横方向流出防止版を形成した例の平面図である。
【図15】同正面図である。
【図16】図14、図15中Ａ−Ａ断面図である。
【図17】型枠板挿入用切欠を設けた例の正面斜視図である。
【図18】簡略化した擁壁ブロックの背面斜視図である。
【図19】下段の擁壁ブロックを回動させながら配置する様子を示す施工断面図である。
【図20】本発明の擁壁構築方法によって構築する擁壁を植生可能な多自然型とした例の要部断面図である。
【図21】上方から下方へ擁壁を構築していく従来法の施工断面図である。
【符号の説明】
１  擁壁ブロック
1a  上段の擁壁ブロック
1b  下段の擁壁ブロック
1n  最下段の擁壁ブロック
２  地山
2a  掘削法面部分
2b  未掘削地山部分
３  擁壁ブロックの背面部
４  天端コンクリート
５  コンクリート打設口
６  掘削法面
７  上部前面版
８  控版
９  下部前面版
10  胴込部
11  コンクリート打設間隙
12  梁部
13  背面梁部
14  貫通孔
15  重合突縁
16  水抜き孔
17  排水材
18  隙間処理材
19  係合手段
19a  鈎状フック金具
19b  受け環
20  植栽土等の充填室
24  土台
25  横方向流出防止版
26  嵌合い溝
27  型枠板挿入用切欠
28  型枠板挿入用切欠
29  前面版
【図１】
0003955763.tif 000002
【図２】
0003955763.tif 000003
【図３】
0003955763.tif 000004
【図４】
0003955763.tif 000005
【図５】
0003955763.tif 000006
【図６】
0003955763.tif 000007
【図７】
0003955763.tif 000008
【図８】
0003955763.tif 000009
【図９】
0003955763.tif 000010
【図１０】
0003955763.tif 000011
【図１１】
0003955763.tif 000012
【図１２】
0003955763.tif 000013
【図１３】
0003955763.tif 000014
【図１４】
0003955763.tif 000015
【図１５】
0003955763.tif 000016
【図１６】
0003955763.tif 000017
【図１７】
0003955763.tif 000018
【図１８】
0003955763.tif 000019
【図１９】
0003955763.tif 000020
【図２０】
0003955763.tif 000021
【図２１】
0003955763.tif 000022